(57)【特許請求の範囲】
【請求項１】
壁面に当接させて固定するための設置面部及びこの設置面部に対し垂直となる側面部を有し、設置面部を壁面に所定間隔あけて固定するように形成された左右一対の縦フレームと、
エアコン室外機を覆う屋根部材と、
この屋根部材を縦フレームに固定するためのブラケットとを備え、
ブラケットは、屋根部材との相対位置を壁面に向かって左右方向に位置調整可能に屋根部材に取り付けられるとともに、側面で縦フレームの側面部に取り付けられるように構成されていることを特徴とするエアコン室外機用壁面取付型屋根。
【請求項２】
前記ブラケットは、側面に、屋根部材の中心側方向又は外側方向に向かって突出する突起物を有し、縦フレームは側面部上方にこの突起物を受け入れ得る切欠孔を有し、前記屋根部材にブラケットを仮止めした状態の屋根部材とブラケットとの組立物が、縦フレームの上方に載置されるときに突起物が切欠孔に受け入れられて、この組立物が縦フレームの略所定位置に支持されることを特徴とする請求項１記載のエアコン室外機用壁面取付型屋根。
【請求項３】
前記縦フレームは、前記設置面部の表面に、上下方向に延びるリブが形成されていることを特徴とする請求項１又は２記載のエアコン室外機用壁面取付型屋根。
【請求項４】
前記縦フレーム、前記屋根部材、及び前記ブラケットは、アルミニウム又はアルミニウム合金により製作されていることを特徴とする請求項１〜３の何れか１項に記載のエアコン室外機用壁面取付型屋根。
【請求項５】
壁面に当接させて固定するための設置面部及びこの設置面部に対し垂直となる側面部を有し、壁面に埋め込まれたアンカーボルトにより、設置面部を壁面に所定間隔をあけて固定するように形成された左右一対の縦フレームと、エアコン室外機を覆う屋根部材と、この屋根部材を縦フレームに固定するように、一方では、屋根部材に対し、壁面に向かって左右方向の相対位置を調整可能に取り付けられ、他方では、縦フレームの側面部に固定されるブラケットとを用意し、さらに、エアコン室外機の天井面の高さ位置及び縦フレームを固定するためのアンカーボルトの位置を表示した平面状の表示面部と、水準器を載置可能に形成された水平平面状の載置面部とを有する取付補助部材を用意し、この取付補助部材の表示面部を壁面に当接させて、表示面部に表示された位置に基づいて壁面に埋め込むアンカーボルトの位置を選定し、次いで、選定された位置にアンカーボルトを埋め込み、埋め込まれたアンカーボルトにより前記縦フレームの設置面部を固定し、また、前記屋根部材の略所定位置にブラケットを仮止めし、仮止めされたブラケットと屋根部材との組立物を前記縦フレームの上に載置し、ブラケットの側面を縦フレームに固定した後、前記ブラケットと屋根部材との位置を調節して、ブラケットを屋根部材の所定位置に固定することを特徴とするエアコン室外機用壁面取付型屋根の取付方法。
【請求項６】
前記ブラケットとして、側面に、屋根部材の中心側方向又は外側方向に向かって突出する突起物を有するものを用意し、また、前記縦フレームとして、この突起物が上方から挿入されることによりブラケットの位置を仮決めする切欠孔を有するものを用意し、仮止めしたブラケットと屋根部材との組立物を縦フレームの上方に載置する際に、前記突起物が前記切欠孔に挿入されるようにして、この突起物を介しブラケットと屋根部材との組立物の載置位置を略位置決めするとともに縦フレームに支持し、このように支持された状態でブラケットの側面を縦フレームの側面部に固定することを特徴とする請求項５記載のエアコン室外機用壁面取付型屋根の取付方法。
【請求項７】
エアコン室外機の天井面の高さ位置及び縦フレームを固定するアンカーボルトの位置を表示した平面状の表示面部と、この表示面部の上部に、水準器を載置可能に形成された水平の載置面部とを有することを特徴とする請求項１〜４に記載のエアコン室外機用壁面取付型屋根を取り付けるための取付補助部材。
【発明の詳細な説明】
【技術分野】
【０００１】
本発明は、エアコン室外機の上方部を覆う防雪、日除け用等の壁面取付型屋根、その取付方法及びこの取付に用いる取付補助部材に関する。
【背景技術】
【０００２】
従来のエアコン室外機用の上方部を覆う防雪、日除け用等の壁面取付型屋根の一例として非特許文献１に記載のものがある。これを図１２乃至図１６に基づき説明する。図１２の外観斜視図に示すように、エアコン室外機を覆う屋根部材１０１、屋根部材１０１を壁面に取り付けるための基礎部材であって、壁面に固定されるフレーム組１０２、及び屋根部材１０１をフレーム組１０２と協働して支持するためのブラケット１０３などから構成されている。
【０００３】
屋根部材１０１は、図１６のフレーム組とブラケットの組立物に対する屋根部材取付要領図に示すように、屋根部１１１、側面部１１２、前面部１１３及び後面部１１４から形成されている。側面部１１２は、前端の高さ寸法が小さく、後方に行くに従い高さ寸法が大きくなる略３角形状に形成されている。前面部１１３及び後面部１１４は、側面部１１２の前端高さ寸法に調和させて高さ寸法が小さく形成されている。左右の側面部１１２の後方部には、それぞれ屋根部材１０１をフレーム組１０２にボルト止めするためのボルト孔１１５が２個形成され、また、左右の側面部１１２の前方部には、それぞれブラケット１０３の側面にボルト止めするためのボルト孔１１６が形成され、さらに、前面の左右には、左右のブラケット１０３の前面にそれぞれボルト止めするためのボルト孔１１７が各１個形成されている。
【０００４】
フレーム組１０２は、図１３のフレーム組の斜視図に示すように、左右一対の縦フレーム１２１が２本の横フレーム１２２により連結されたものである。縦フレーム１２１は、図１４の縦フレームの断面図に示すように、水平断面が両側面及び底面が互いに直交して連結される溝型を成し、この溝型の底面１２１ａには、壁面に埋め込まれたアンカーボルト１２８を挿通させるためのボルト孔１２５が形成されている。ボルト孔１２５は長孔に形成されている。また、溝型を形成する両側面１２１ｂには上部に屋根部材１０１を取り付けるためのボルト孔１２６が各２個が設けられ、その下部にブラケット１０３を固定するためのボルト孔１２７が２個設けられている。縦フレーム１２１と横フレーム１２２との連結は、横フレーム１２２先端の折曲片１２２ａが縦フレーム１２１の内側の側面１２１ｂにボルト１２３とナット１２４との締結により固定されて行われている。
【０００５】
ブラケット１０３は、図１５のブラケットの取付要領図に示すように、壁面側の高さ寸法が高く、前面側は高さが低い垂直片１３１を有し、その先端部が一対を成す他方の縦フレーム１２１側に向けて壁面と平行に折り曲げられて、固定片１３２が形成されている。この固定片１３２には屋根部材１０１の前面を固定するためのボルト孔１３３が形成されている。また、このブラケット１０３は、下端部にも、一対を成す他方の縦フレーム１２１側に向けて折り曲げられた補強片１３４が構成されている。そして、ブラケット１０３は、その後方部が縦フレーム１２１の溝型形状内に挿入され、垂直片１３１の後方部が縦フレーム１２１の溝型を成す外側の側面１２１ｂに対し、溝型の内部から挿入されるボルト１３５とこれに螺合されるナット１３６とにより固定される。このために、垂直片１３１の後方には、ボルト１３５を挿通させるためのボルト孔１３７が２個形成されている。また、垂直片１３１の前方にも屋根部材１０１にボルト止めするためのボルト孔１３８が形成されている。
【０００６】
上記のように構成された壁面取付型屋根は、図１３のフレーム組の斜視図、図１５のフレーム組とブラケットとの組立要領図、及び図１６のフレーム組とブラケットの組立物に対する屋根部材取付要領図に示すように、次のようにして組み立てられている。
【０００７】
まず、図１３に示すように、フレーム組１０２を取り付けるために、壁面の所定位置にアンカーボルト１２８が埋め込まれる。次いで、フレーム組１０２を構成する縦フレーム１２１の溝型の底面１２１ａに形成されたボルト孔１２５にアンカーボルト１２８を挿通させて、ナット１２９によりフレーム組１０２を壁面に固定する。
【０００８】
次に、図１５に示すように、フレーム組１０２にブラケット１０３が取り付けられる。まず、ブラケット１０３は、垂直片１３１の後方が縦フレーム１２１の溝型内において外側の側面１２１ｂに接触するように配置される。そして、ブラケット１０３の垂直片１３１の後方のボルト孔１３７と縦フレームの外側の側面１２１ｂの下部に形成されたボルト孔１２７とが合わされる。次いで、これらボルト孔１３７、１２７に対し、縦フレーム１２１の溝型の内側からボルト１３５が挿入され、溝型の外側からナット１３６が締結される。
【０００９】
次に、図１６に示すように、屋根部材１０１は、ブラケット１０３に対し上方から被せられて、フレーム組１０２に固定される。具体的には、まず、屋根部材１０１が、側面部１１２のボルト孔１１５と縦フレーム１２１の外側の側面１２１ｂの上部に形成されたボルト孔１２６とが合うように被せられる。そして、これらボルト孔１１５、１２６に対し縦フレーム１２１の溝型の内側からボルト１４１が挿入され、溝型の外側においてナット１４２が締結されて、屋根部材１０１が縦フレーム１２１に固定される。また、屋根部材１０１の前面に形成されたボルト孔１１７と、ブラケット１０３の固定片１３２に形成されたボルト孔１３３とが合わせられ、これらボルト孔１１７、１３３に対し固定片１３２の裏面側からボルト１４３が挿入され、前面部１１３の外側からナット１４４が締結される。さらに、屋根部材１０１の側面部１１２の前方に形成されたボルト孔１１６と、ブラケット１０３の垂直片１３１に形成されたボルト孔１３８とが合わせられ、これらボルト孔１１６、１３８に対し側面部１１２の内側からボルト１４５が挿入され、側面部１１２の外側からナット１４６が締結される。以上のボルトナットの締結作業により屋根部材１０１が、フレーム組１０２とブラケット１０３の組立物に対し取り付けられる。
【非特許文献１】壁面用防雪屋根  Ｃ−ＲＫＺＧ型据付説明書、株式会社キャッチャー  ２００５年３月
【発明の開示】
【発明が解決しようとする課題】
【００１０】
しかしながら、このような従来のエアコン室外機用の壁面取付型屋根においては、フレーム組１０２を構成する横フレーム１２２は、取り付けた後では全く意味がなく、コスト高の要因になっていた。また、縦フレーム１２１を壁面に固定する作業は、横フレーム１２２と縦フレーム１２１とが組み合わされて成るフレーム組１０２を固定する必要があるため、壁面付近で支える物が重たくなり取付作業が困難であった。また、壁面に固定されるフレーム組１０２にブラケット１０３が固定されているため、ブラケット１０３の外側面間の寸法が一定に固定されている。他方、このブラケット１０３の外側に被せられる屋根部材１０１の両側面部１１２間の内寸も一定に固定の寸法である。このため、屋根部材１０１をブラケット１０３の外側に上方から被せるときには、両者は嵌め合い状態となり、各部品の製作誤差により支障を来たすことが避けられない状況であった。これに加えて、屋根部材１０１、フレーム組１０２、ブラケット１０３の各部材が鋼又は鋼合金で形成されている場合は、これら部材の重量が重く、作業が困難になるという問題があった。
【００１１】
本発明は、上記従来技術における問題点に鑑みなされたものであり、エアコン室外機を覆う壁面取付型屋根の据付を容易化したエアコン室外機用壁面取付型屋根、その取付方法及びこの取付を容易化するための取付補助部材を提供することを目的とする。
【課題を解決するための手段】
【００１２】
本発明に係るエアコン室外機用壁面取付型屋根は、壁面に当接させて固定するための設置面部及びこの設置面部に対し垂直となる側面部を有し、設置面部を壁面に所定間隔をあけて固定するように形成された左右一対の縦フレームと、エアコン室外機を覆う屋根部材と、この屋根部材を縦フレームに固定するためのブラケットとを備え、ブラケットは、屋根部材との相対位置を壁面に向かって左右方向に位置調整可能に屋根部材に取り付けられるとともに、側面で縦フレームの側面部に取り付けられるように構成されていることを特徴とする。
【００１３】
このように構成された本発明に係るエアコン室外機用壁面取付型屋根では、屋根部材にブラケットを仮止めした状態の組立物が縦フレームの上に載せて取り付けられる。その際に、ブラケットの外表面間の寸法を縦フレームの側面部の内表面寸法に合致させるように、屋根部材に対するブラケットの左右方向の位置を調節することができる。したがって、縦フレームの取付位置の誤差、屋根部材の左右方向の製作誤差などを容易に吸収することができ、屋根部材を縦フレームに対し容易に取り付けることができる。
【００１４】
また、前記ブラケットの側面に屋根部材の中心側方向又は外側方向に向かって突出する突起物を設け、一方、縦フレームの側面部上方にこの突起物を受け入れる切欠孔を設け、屋根部材にブラケットを仮止めした状態の屋根部材とブラケットとの組立物を、縦フレームの上方に載置するときに突起物が切欠孔に受け入れられて、この組立物が縦フレームの略所定位置に支持されるようにしてもよい。このようにすれば、ブラケットの側面に設けられた突起物を、縦フレームの側面部１２の上部の切欠孔に受け入れられるように、屋根部材にブラケットを仮止めした組立物を載せると、この組立物の載せる位置が位置決めされる。このため、屋根部材とブラケットの組立物を縦フレームに取り付ける作業が容易化される。
【００１５】
また、前記縦フレームの設置面部の表面に、上下方向に延びるリブを形成するようにしてもよい。屋根部材の重量により、縦フレームの設置面部に対し、その上部を壁面から離れる方向に曲げる曲げモーメントが作用するが、設置面部の表面に上下方向に延びるリブが形成されているので、設置面部の強度が向上する。これにより設置面部の変形を抑制することができる。
【００１６】
また、前記縦フレーム、前記屋根部材、及び前記ブラケットは、アルミニウム又はアルミニウム合金により製作されているのが好ましい。これら部材は全て持ち上げながら取り付ける必要があり、重たい場合には手で支えることが難しく、作業が困難となる。しかしながら、このようにこれら部材をアルミニウム又はアルミニウム合金製とすれば、軽量となりこれら部材を持ち上げて取り付ける作業が容易になる。
【００１７】
また、本発明に係るエアコン室外機用壁面取付型屋根の取付方法は、壁面に当接させて固定するための設置面部及びこの設置面部に対し垂直となる側面部を有し、壁面に埋め込まれたアンカーボルトにより、設置面部を壁面に所定間隔をあけて固定するように形成された左右一対の縦フレームと、エアコン室外機を覆う屋根部材と、この屋根部材を縦フレームに固定するように、一方では、屋根部材に対し、壁面に向かって左右方向の相対位置を調整可能に取り付けられ、他方では、縦フレームの側面部に固定されるブラケットとを用意し、さらに、エアコン室外機の天井面の高さ位置及び縦フレームを固定するためのアンカーボルトの位置を表示した平面状の表示面部と、水準器を載置可能に形成された水平平面状の載置面部とを有する取付補助部材を用意し、この取付補助部材の表示面部を壁面に当接させて、表示面部に表示された位置に基づいて壁面に埋め込むアンカーボルトの位置を選定し、次いで、選定された位置にアンカーボルトを埋め込み、埋め込まれたアンカーボルトにより前記縦フレームの設置面部を固定し、また、前記屋根部材の略所定位置にブラケットを仮止めし、仮止めされたブラケットと屋根部材との組立物を前記縦フレームの上に載置し、ブラケットの側面を縦フレームに固定した後、前記ブラケットと屋根部材との位置を調節して、ブラケットを屋根部材の所定位置に固定することを特徴とする。
【００１８】
この方法によれば、エアコン室外機の天井面の高さ位置及び縦フレームを固定するためのアンカーボルトの位置を表示した平面状の表示面部と、水準器を載置可能に形成された水平平面状の載置面部とを有する取付補助部材を用意して、縦フレームを取り付けるアンカーボルトの位置が選定されるので、縦フレームを正確に所定位置に埋め込むことができる。したがって、エアコン室外機と縦フレームの相対位置、惹いてはエアコン室外機と屋根部材との相対位置を容易に正確に選定することができる。また、屋根部材を縦フレームに取り付ける場合に、略所定位置に仮止めされたブラケットと屋根部材との組立物を縦フレームの上に載置し、ブラケットの側面を縦フレームに固定した後、ブラケットと屋根部材との位置を調節して、ブラケットを屋根部材の所定位置に固定するようにしているので、ブラケットと屋根部材との位置調節により、縦フレームの取付位置の誤差、屋根部材の左右方向の製作誤差などを容易に吸収することができる。このため、ブラケットと屋根部材との組立物を縦フレームの上に容易に載置することができ、屋根部材を容易に設置することができる。
【００１９】
また、このエアコン室外機用壁面取付型屋根の取付方法において、前記ブラケットとして、屋根部材の中心側方向又は外側方向に向かって突出する突起物を備えたものを用意し、前記縦フレームとして、この突起物が上方から挿入されることによりブラケットの位置を仮決めする切欠孔を有するものを用意し、仮止めしたブラケットと屋根部材との組立物を縦フレームの上に載せる際に、前記突起物が前記切欠孔に挿入されるようにして、仮止めしたブラケットと屋根部材との組立物を縦フレームで支持し、このように支持された状態でブラケットの側面を縦フレームの側面部に固定するようにしてもよい。このようにすれば、ブラケットと屋根部材との組立物と縦フレームとの位置合わせが容易になり、惹いては、ブラケットと屋根部材との組立物を縦フレームの上に載せる作業が容易になる。
【００２０】
また、本発明に係る取付補助部材は、前述のエアコン室外機用壁面取付型屋根を取り付けるためのものであって、エアコン室外機の天井面の高さ位置及び縦フレームを固定するアンカーボルトの位置を表示した平面状の表示面部と、この表示面部の上部に、水準器を載置可能に形成された水平の載置面部とを有することを特徴とする。この取付補助部材を用いれば、縦フレームを取り付けるためのアンカーボルトの位置を容易に正確に選定することができる。
【発明の効果】
【００２１】
本発明に係るエアコン室外機用壁面取付型屋根及びその取付方法によれば、縦フレームの取付位置の誤差、屋根部材の左右方向の製作誤差などを、屋根部材に対するブラケットの取付位置を調節することにより容易に吸収することができるので、取付作業が容易になる。また、この取付において、本発明の取付補助部材を用いれば、縦フレームを固定するアンカーボルトの位置を容易に正確に選定することができる。
【発明を実施するための最良の形態】
【００２２】
以下、本発明を具体化した実施の形態に係るエアコン室外機用壁面取付型屋根の構成及び取付方法を図１〜図９に基づいて説明する。
本実施の形態に係るエアコン室外機用壁面取付型屋根１は、図１の本エアコン室外機用壁面取付型屋根の設置例図に示すように、エアコン室外機２の上方部を覆う屋根部材であって、防雪、日除け用等のために設置される。この例では、エアコン室外機２は、建物の壁面に沿って設置された平地用置台３の上に設置され、エアコン室外機用壁面取付型屋根１がエアコン室外機２の上方部において壁面に取り付けられている。
【００２３】
エアコン室外機用壁面取付型屋根１は、図２の屋根部材とブラケットとの組立物を縦フレームに取り付ける組立要領図に示すように、所定の間隔を隔てて壁面に取り付けられる一対の縦フレーム１０と、縦フレーム１０に取り付けられる左右一対のブラケット２０と、この一対のブラケット２０を介して縦フレーム１０に固定される屋根部材３０とから形成されている。なお、左右一対の縦フレーム１０とブラケット２０は、左右対称的に製作されている。また、この明細書で単に縦フレーム１０或いはブラケット２０と称し、左右何れか一方のものについて説明しているときは、他方のものについては左右対称的に製作されていることを前提とし、その説明を省略する。また、本明細書において、左右というときは壁面に向かって左右方向をいうものとする。また、壁面側を背面とし、その反対側を正面とする。
【００２４】
縦フレーム１０は、図３の縦フレームの取付要領図に示すように、壁面に当接させて固定するための設置面部１１と、設置面部１１に対し垂直となる側面部１２とを有している。設置面部１１は、高さ方向に長い、正面視長方形状を成し、背面側の両端部にそれぞれリブ１３を有し、さらに、中央部にも２条のリブ１４を有している。また、この設置面部１１には、壁面に埋め込まれたアンカーボルト１５を挿通するためのボルト孔１６が２個形成されている。このボルト孔１６は高さ方向に長い長孔に形成されており、アンカーボルト１５の埋め込み後に、高さ位置を若干調整可能としている。
【００２５】
側面部１２は、側面から見て下方の前面側の角部がカットされた形状を成し、ブラケット２０を固定するためのボルト孔１７が２個形成されている。さらに、側面部１２の上端部には、屋根部材３０を縦フレーム１０の上に載置する際に略所定位置に位置決めして支持するための切欠孔１８が形成されている。なお、この切欠孔１８には後記するブラケット２０の側面に形成された突起物２７が受け入れられる。
【００２６】
このように構成された縦フレーム１０は、高さ方向を押出方向とするアルミニウム又はアルミニウム合金の押出型材から形成されている。なお、この縦フレーム１０は、壁面に設置される場合に、左右の側面部１２の内面間に、屋根部材３０の左右に取り付けられる左右のブラケット２０の外側を挟むことができるように、所定距離の間隔をあけて取り付けられる。
【００２７】
ブラケット２０は、図４のブラケットと屋根部材との組立要領図、図５の同組立物の側面図、及び図６に示す同組立物の底面図のように、屋根部材３０の底面に当接する斜面部２１と、この斜面部２１の外側端に連なるように一体的に形成された垂直片部２２とを有する。この垂直片部２２がブラケット２０の側面を構成する。また、斜面部２１と垂直片部２２とを有するブラケット２０は、斜面部２１の長手方向を押出方向とするアルミニウム又はアルミニウム合金の押出型材から形成されている。
【００２８】
斜面部２１は、屋根部材３０の底面、より具体的には裏面（屋根部材３０の下方となる表面を裏面とする）に接触し屋根部材３０に対する取付面を構成するものである。この斜面部２１には、左右両端部に補強のためのリブ２３が形成され、さらに、左右方向の中央部にも、ボルト４１のねじ部４１ａ（図９及び図１０参照）より若干大きい間隔で２条のリブ２４が形成されている。そして、この中央部のリブ２４間には、ブラケット２０を取り付けるためのボルト４１を挿通させるためのボルト孔２５が２個形成されている。
【００２９】
垂直片部２２は、ブラケット２０が固定されたブラケット２０と屋根部材３０との組立物を、縦フレーム１０に固定する取付片を構成するものであって、ブラケット２０の側面を形成する。この垂直片部２２は、背面側では高さ方向の寸法が大きく、斜面部２１の先端部に向けて高さが小さくなる略３角形状に形成されている。このように形成するには、斜面部２１と垂直片部２２とを備えた断面Ｌ型のものを斜面部２１の長手方向を押出方向として押出成形し、その後に、垂直片部を３角形状となるように切断すればよい。また、垂直片部２２は、内面側（屋根部材３０左右方向の中心側）に、縦フレーム１０へ取り付けるためのボルト４２を螺合するためのナットサート２６が２個取り付けられている。図７は、このナットサート部の断面図であって、同図に示すように、ねじ部２６ａが垂直片部２２の内面側となるように取り付けられている。また、垂直片部２２におけるナットサート２６の上方部には、垂直片部２２の外側面から外側へ突出する突起物２７が取り付けられている。
【００３０】
突起物２７は、図８の突起物周りの断面図に示すように、垂直片部２２に設けられたリベット孔２７ａに対し、垂直片部２２の外側からカラー２７ｂと座金２７ｃとを挟み込む状態でリベット２７ｄを挿入し、その先端をかしめて取り付けたものである。この突起物２７は、屋根部材３０にブラケット２０が仮止めされた組立物を縦フレーム１０に取り付ける際に、縦フレーム１０の側面部１２に形成された切欠孔１８に受け入れられる。そして、突起物２７が切欠孔１８に受け入れられることにより、ブラケット２０と屋根部材３０との組立物の縦フレーム１０に対し略位置決めが行われ、仮支持される。
【００３１】
屋根部材３０は、図２、図４〜図６などに示すように、左右の枠部材３１間に３枚の屋根板材３２が架け渡されている。枠部材３１及び屋根板材３２は、長手方向を押出方向とするアルミニウム又はアルミニウム合金の押出型材から形成されている。
【００３２】
また、上記図６、図６におけるＡ-Ａ断面図である図９、図６におけるＢ-Ｂ断面図である図１０などに示されるように、隣接する屋根板材３２の接合部分は、屋根板材３２の端部が組み合わされることにより、左右の枠部材３１間に渡る袋状溝部３３が形成されている。ブラケット２０を取り付けるためのボルト４１は、ねじ部４１ａを裏面外側に突出させ、頭部４１ｂを袋状溝部３３内とする状態で収納されている。また、このボルト４１は、頭部４１ｂを袋状溝部３３内に収納した状態で左右方向にスライド式に移動自在に構成されている。また、この袋状溝部３３の中央部には、図６に示すように、屋根部材３０の底面側からボルト４１の頭部を挿入することを可能とするための拡大開口部３４が形成されている。
【００３３】
屋根部材３０の左右方向の寸法は、ブラケット２０の斜面部２１を屋根部材３０の裏面に当接してブラケット２０を屋根部材３０の裏面側に取り付けた場合において、ブラケット２０の斜面部２１と左右の枠部材３１との間に寸法調整代として僅かな寸法が残され、枠部材３１の外側が縦フレーム１０の側面部１２より外側となるように設定されている。
【００３４】
次に、このように構成されるエアコン室外機用壁面取付型屋根の取付方法について説明する。
まず、エアコン室外機２の外形寸法に適合した大きさの屋根部材３０を用意する。次に、図１１の取付補助部材の斜視図に示すような取付補助部材５０を使用して、壁面にアンカーボルト１５を埋め込む位置を選定する。取付補助部材５０は、厚紙等により製作されるものであって、壁面に沿わせる平面状の表示面部５１と表示面部５１の上部に折り曲げ用の溝型を形成して連結された水平の載置面部５２とを有する。
【００３５】
表示面部５１には、エアコン室外機２の天井面の高さ位置を表示する位置表示５３が印刷され、また、縦フレーム１０を固定するアンカーボルト１５の埋込位置を表示するものとしての円孔５４が開設されている。位置表示５３は、断続する太線により構成されている。円孔５４は、アンカーボルト１５の大きさに見合う大きさに形成されている。円孔５４の上部に表示されている数字は、エアコン室外機２の外形寸法に対応して選択される屋根部材３０の大きさに応じたアンカーボルト１５の埋込位置を表示する。そして、この数字を読み取ることにより屋根部材３０の機種を選択することができる。なお、エアコン室外機２では、左右方向の幅寸法は機種により変化するが、奥行き寸法は機種により大きくは変化しない場合が多い。このことに鑑み、屋根部材３０は、機種により左右方向の幅寸法が異なるが、奥行き寸法が一定となるように製作されているものとする。
【００３６】
一方、載置面部５２は、水準器を載せて、取付補助部材の水平度を確認できるようにしたものである。すなわち、表示面部５１の上方部を折り曲げて載置面部５２を形成し、この載置面部５２上に水準器を載せることにより、壁面に沿わせる取付補助部材５０の水平度を正確に保持することができるようになる。
【００３７】
アンカーボルト１５の埋込位置は、このように形成された取付補助部材５０を使用して、次のように選定される。まず、表示面部５１に記載されたエアコン室外機２の天井面の高さと、この表示面部５１の左右方向の中心位置とを、エアコン室外機２の天井面の高さ及び中心位置に一致させるようにしながら、取付補助部材５０の表示面部５１を壁面に沿わせる。このとき、水準器を載置面部５２上に載せ、取付補助部材５０の上端の水平度を保持する。次いで、選択された屋根部材３０の外形寸法に対応する円孔５４を４個選択し、この４個の円孔５４の位置を円孔５４を通して壁面にマークする。そして、マークされた位置それぞれに下孔を開けアンカーボルト１５を埋め込む。
【００３８】
次に、図３に示すように、埋め込まれたアンカーボルト１５の先端部を、左右の縦フレーム１０の設置面部１１に形成されたボルト孔１６に挿入させ、設置面部１１の正面側からナット４５を締結して左右一対の縦フレーム１０を壁面に固定する。
【００３９】
次に、屋根部材３０に対し、ブラケット２０を仮止めする。その作業として、図４に示すように、屋根部材３０の左右の枠部材３１のやや内側にブラケット２０の斜面部２１を仮固定する。この仮固定は、袋状溝部３３内に頭部が収納されたボルト４１のねじ部４１ａを斜面部２１のボルト孔２５に挿通させ、ねじ部４１ａに対し斜面部２１の下方からナット４３を緩く締結することにより行われる。
【００４０】
次に、屋根部材３０にブラケット２０が仮止めされた組立物を、縦フレーム１０の上に載置する。この載置においては、ブラケット２０と屋根部材３０との相対位置を調節しながらブラケット２０の外側側面が縦フレーム１０の側面部１２の内面に沿うようにする。また、突起物２７が切欠孔１８に受け入れられるようにする。このようにすることにより、ブラケット２０と屋根部材３０との組立物は、縦フレーム１０に対し略位置決めされ、仮支持される。
【００４１】
次に、このように載置された状態で、図２に示すように、側面部１２のボルト孔１７をブラケット２０の垂直片部２２のナットサート２６に合わせ、ボルト４２を外側から差し込んでナットサート２６に螺合させて締結する。次いで、縦フレーム１０に取り付けられたブラケット２０の位置に合わせて、屋根部材３０の裏面に対するブラケット２０の位置を調節し、調節された位置でナット４３を完全に締結する。以上のようにすることにより取付作業が完了する。
【００４２】
以上のように構成されたエアコン室外機用壁面取付型屋根及びエアコン室外機用壁面取付型屋根の取付方法によれば、次の効果を奏することができる。
（１）屋根部材３０にブラケット２０を仮止めした状態の組立物を縦フレーム１０の上に載せる際に、ブラケット２０の外表面間の寸法を縦フレーム１０の側面部１２の内表面寸法に合致させるように、屋根部材３０に対するブラケット２０の左右方向の位置を調節することができる。したがって、縦フレーム１０の取付位置の誤差、屋根部材３０の左右方向の製作誤差などを容易に吸収することができ、屋根部材３０を縦フレーム１０に対し容易に取り付けることができる。
【００４３】
（２）また、ブラケット２０の側面を形成する垂直片部２２に設けられた突起物２７を、縦フレーム１０の側面部１２の上部の切欠孔１８に受け入れられるように、屋根部材３０にブラケット２０を仮止めした組立物を載せると、この組立物の載せる位置が位置決めされる。このため、屋根部材３０とブラケット２０の組立物を縦フレーム１０に取り付ける作業が容易化される。
【００４４】
（３）屋根部材３０の重量により、縦フレーム１０の設置面部１１に対し、その上部を壁面から離れる方向に曲げる曲げモーメントが作用するが、設置面部１１の表面に上下方向に延びるリブ１３、１４が形成されているので、設置面部１１の強度が向上する。これにより設置面部１１の変形を抑制することができる。
【００４５】
（４）縦フレーム１０、ブラケット２０及び屋根部材３０をアルミニウム又はアルミニウム合金製としているので、これら部材を持ち上げて取り付ける作業が極めて容易になる。
【００４６】
（５）また、これら部材は、強度を考えた断面形状のアルミニウム又はアルミニウム合金製の押出型材により形成されているので、強度及び見栄えがよい。
（６）ブラケット２０の垂直片部２２の後方部には、縦フレーム１０との固定のためのナットサート２６が垂直片部２２の内面側に取り付けられているので、取付に用いるボルト４２を容易に締結することができる。
【００４７】
（７）ブラケット２０の斜面部２１の上面にはリブ２３、２４が形成されているので、斜面部２１の強度が向上するとともに、斜面部２１と屋根部材３０の裏面との接触面積が減少し、ブラケット２０を左右に移動させるときの滑りが良好となる。
【００４８】
（８）上記構成の取付作業においては、取付補助部材５０を用いて壁面に埋め込まれるアンカーボルト１５の位置決めを行っているので、アンカーボルト１５を正確な位置に取り付けることができる。
【００４９】
以上説明した本実施の形態に係るエアコン室外機用壁面取付型屋根は、一例を示すものであり、本発明の範囲内において適宜変更できるものである。例えば、次のように変形することができる。
【００５０】
（１）ブラケット２０の垂直片部２２に取り付ける突起物２７は、他の構成のものに適宜変更することができる。例えば、単なる棒状のものとしてもよく、また、形状も、単純な円柱状や断面４角形の棒状のものや、板状のものとしてもよい。なお、これら場合には、切欠孔１８をこれら形状のものを受け入れるように変更すればよい。
【００５１】
（２）また、上記実施の形態において、突起物２７は垂直片部２２の外側に向けて突出するように構成されていたが、ブラケット２０の垂直片部２２を縦フレーム１０の外側から被せる構造とした場合は、この突起物２７を垂直片部２２の内方に突出するように構成することもできる。
【００５２】
（３）縦フレーム１０、ブラケット２０及び屋根部材３０をアルミニウム又はアルミニウム合金製ではなく、他の軽金属材料としてもよい。また、プラスチック製とすることもできる。豪雪地帯でない場合には、屋根部材３０に作用する雪の重量が大きくならないので、プラスチック製とすることも可能である。なお、鉄系金属製とすることもできるが、この場合は重量が重くなり作業性が低下する。
【００５３】
（４）ブラケット２０の斜面部２１に設けられるボルト孔２５を斜面部２１の長さ方向に長い長孔とすることもできる。このようにボルト孔２５を長孔とすると、斜面部２１の長さ方向において、ボルト４１とボルト孔２５との位置合わせを容易に行うことができる。
【００５４】
（５）屋根部材３０に形成する左右方向に渡る袋状溝部３３は、屋根板材３２の接触部分に設ける必要はなく、屋根板材３２の適宜の位置に設けてもよい。
【産業上の利用可能性】
【００５５】
本発明に係るエアコン室外機用壁面取付型屋根１は、壁面に沿って設置されるエアコン室外機２の屋根として利用される。エアコン室外機２は、家庭用、業務用を問わない。使用目的は、防雪、日除け、防雨などである。平地用置台３の使用は、必ずしも必要はないが、エアコン室外機２の保護の観点からは、地面から高くするのが好ましく、平地用置台３や壁面置台（図示は省略）の使用が推奨される。
【図面の簡単な説明】
【００５６】
【図１】実施の形態に係るエアコン室外機用壁面取付型屋根の設置例図である。
【図２】同実施の形態における屋根部材とブラケットとの組立物を縦フレームに取り付ける組立要領図である。
【図３】同実施の形態における縦フレームを壁面に取り付ける際の取付要領図である。
【図４】同実施の形態におけるブラケットと屋根部材との組立要領図である。
【図５】同実施の形態におけるブラケットと屋根部材との組立物の側面図である。
【図６】同組立物の底面図である。
【図７】同実施の形態におけるナットサート部の断面図である。
【図８】同実施の形態における突起物周りの断面図である。
【図９】図６におけるＡーＡ断面図である。
【図１０】図６におけるＢーＢ断面図である。
【図１１】同実施の形態における取付補助部材の斜視図である。
【図１２】従来のエアコン室外機用壁面取付型屋根の外観斜視図である。
【図１３】同エアコン室外機用壁面取付型屋根におけるフレーム組の斜視図である。
【図１４】図１３におけるＣ−Ｃ断面図である。
【図１５】同エアコン室外機用壁面取付型屋根におけるブラケットの取付要領図である。
【図１６】同エアコン室外機用壁面取付型屋根における、フレーム組とブラケットの組立物に対する屋根部材取付要領図である。
【符号の説明】
【００５７】
１    エアコン室外機用壁面取付型屋根
２    エアコン室外機
１０    縦フレーム
１１    設置面部
１２    側面部
１３、１４    リブ
１５    アンカーボルト
１８    切欠孔
２０    ブラケット
２７    突起物
３０    屋根部材
５０    取付補助部材
５１    表示面部
５２    載置面部
【図１】
0004668748.tif 000002
【図２】
0004668748.tif 000003
【図３】
0004668748.tif 000004
【図４】
0004668748.tif 000005
【図５】
0004668748.tif 000006
【図６】
0004668748.tif 000007
【図７】
0004668748.tif 000008
【図８】
0004668748.tif 000009
【図９】
0004668748.tif 000010
【図１０】
0004668748.tif 000011
【図１１】
0004668748.tif 000012
【図１２】
0004668748.tif 000013
【図１３】
0004668748.tif 000014
【図１４】
0004668748.tif 000015
【図１５】
0004668748.tif 000016
【図１６】
0004668748.tif 000017